(57)【要約】【課題】自動販売機の外扉に装備したハンドルロックを解錠，施錠操作だけで外扉の開閉が行え、しかもピッキング，破錠の不正行為に対して高い防盗効果が発揮できる扉ロック装置を提供する。【解決手段】外扉２の前面にポップアップ式のハンドルロック６を備えた自動販売機の扉ロック装置において、ハンドルロック６を包囲して外扉の前面に鋼材製になるボックス形の防盗カバー９を追加装備し、かつ該防盗カバーの前面にはハンドルロックのシリンダー錠６ｃに対応するキー７の差込み穴９ａ，レバー釈放側の右側面には解錠したハンドルロックのレバー６ｂを側方引き出すレバー逃がし穴９ｂ，該逃がし穴と反対側の左側面には解錠したハンドルロックのレバーを釈放方向に押し込むレバー操作穴９ｃを開口し、この防盗カバーでピッキング，破錠の不正な手口からハンドルロックを防護する。【選択図】        図１
2006125017.tif 000002
【特許請求の範囲】
【請求項１】
外扉の前面にポップアップ式のハンドルロックを備えた自動販売機の扉ロック装置において、
前記ハンドルロックを包囲して外扉の前面に鋼材製になるボックス形の防盗カバーを追加装備し、かつ該防盗カバーの前面にはハンドルロックのシリンダー錠に対応するキー差込み穴，レバー釈放側の側面には解錠したハンドルロックのレバーを引き出すレバー逃がし穴，該逃がし穴と反対側の側面には解錠したハンドルロックのレバーを釈放方向に押し込むレバー操作穴を開口したことを特徴とする自動販売機の扉ロック装置。
【請求項２】
請求項１記載の扉ロック装置において、防盗カバーの前面壁に開口したキー差込み穴の穴径をキーの差込み操作に必要な最小径とし、かつ防盗カバーの奥行き寸法を、カバー前面壁とハンドルロックとの間に遊び間隔を確保するように設定したことを特徴とする自動販売機の扉ロック装置。
【請求項３】
請求項１または２に記載の扉ロック装置において、防盗カバーに表面硬化処理を施したことを特徴とする自動販売機の扉ロック装置。
【発明の詳細な説明】
【技術分野】
【０００１】
本発明は、自動販売機の扉ロック装置に関する。
【背景技術】
【０００２】
まず、本発明の実施対象となる自動販売機の構成を図４に示す。図４において、１は本体キャビネット、２は外扉、３はディスプレイ室、４は商品取出口、５は販売操作部、６は外扉２に標準装備したポップアップ式のハンドルロックである。
【０００３】
ここで、ハンドルロック６の構造はよく知られており、図５で示すようにハンドルベース６ａにハンドルレバー６ｂおよびシリンダー錠６ｃを組み付け、その裏側にはハンドルレバー６ｂに連動して外扉の裏面側に設けたスライダーロックを昇降操作スイングカム（図示せず）を備えた構造になり、図６で示すように外扉２の前面に装着し、キー７を使ってハンドルレバー６ｂを施錠，解錠し、解錠後にハンドルレバー６ｂを回して前記スライダーロックを本体キャビネットの掛け金に掛止，釈放するようにしている。
【０００４】
なお、図５（ａ）はハンドルレバー６ｂの施錠状態，図５（ｂ）は解錠してハンドルレバー６ｂを釈放位置に回動した状態を表している。また、図６（ａ），（ｂ），（ｃ）はそれぞれ施錠状態，キー７をシリンダー錠に差し込んだ状態，キー操作で解錠した状態を表しており、図示のように施錠状態ではハンドル６ａがハンドルベース６ａの凹部に嵌入してこの位置に鎖錠されており、キー７でシリンダー錠６cを解錠するとハンドルレバー６ｂがハンドルベース６ａの凹部から前方に突き出すようにポップアップする。これにより、ハンドルレバー６ｂを手動で回しての扉ロックの釈放が行えるようになる。
【０００５】
ところで、図４に示した自動販売機では、標準装備のハンドルロック６が外扉２の前面にそのまま露呈していることから、ピッキング手口のほか、図7に示すように電動ドリル８などを工具を使って外部からハンドルロックのシリンダー錠を破錠し、外扉２をこじ開けて機内の現金の奪取する犯罪に狙われ易い。
【０００６】
そこで、これらの不正行為を防ぐ防犯対策として外扉に補助錠を設けて二重に扉ロックするほか、チェーンロック，あるいはチェーンレスのハンドルカバーロック（例えば、特許文献１参照）など、各種の後付け防盗ロックが製品化されて市場に展開している。
【特許文献１】特開２００４−１６４００２号公報
【発明の開示】
【発明が解決しようとする課題】
【０００７】
ところで、前記した従来の後付け防盗ロックは高価でその適用にはコストがかかるほか、自動販売機の日常管理（商品補充，庫内点検など）のためにルートマン，管理者が外扉を開け閉めする際の操作性にも問題がある。
【０００８】
すなわち、外扉を開くには自動販売機に標準装備されているハンドルロックの解錠，施錠のほかに、これとは別なキーを使って自動販売機に後付けした防盗ロックの解錠，施錠操作を行う必要があってその作業に手間がかかるほか、キーの保管管理も厄介である。また後付け防盗ロックに設けた錠前がピッキング行為で解錠されるおそれもある。
【０００９】
本発明は上記の点に鑑みなされたものであり、その目的は外扉の開け閉めに二重のキー操作を要さずに、自動販売機の外扉に標準装備されているハンドルロックを解錠，施錠操作だけで通常通りに外扉の開閉が行え、しかもピッキング，破錠の不正行為に対して高い防盗効果を発揮する自動販売機の扉ロック装置を提供することにある。
【課題を解決するための手段】
【００１０】
上記目的を達成するために、本発明によれば外扉の前面にポップアップ式のハンドルロックを備えた自動販売機の扉ロック装置において、
前記ハンドルロックを包囲して外扉の前面に鋼材製になるボックス形の防盗カバーを追加装備し、かつ該防盗カバーの前面にはハンドルロックのシリンダー錠に対応するキー差込み穴，レバー釈放側の側面には解錠したハンドルロックのレバーを側方引き出すレバー逃がし穴，該逃がし穴と反対側の側面には解錠したハンドルロックのレバーを釈放方向に押し込むレバー操作穴を開口した構成とする（請求項１）。
また、前記の防盗カバーについては、その前面壁に開口したキー差込み穴の穴径をキーの差込み操作に必要な最小径とした上で、防盗カバーの前面壁とハンドルロックとの間に遊び間隔を確保するようにカバーの奥行き寸法を設定するものとする（請求項２）。
さらに、前記防盗カバーには焼き入れ法などの表面硬化処理を施して電動ドリルなどを使用する破錠行為に対して防盗カバーの防護性を高める（請求項３）。
【発明の効果】
【００１１】
上記の構成によれば次記の効果を奏する。すなわち、外扉に標準装備されているハンドルロックを防盗カバーでガードすることで、不正なピッキング行為がやり難くなる。また電動ドリルなどの工具を使ってハンドルロックのシリンダー錠を破錠しようとする破壊行為に対しても防盗カバーが防護し、防盗カバーのキー差込み穴にドリル刃を挿入しても、電動ドリルのチャックが防盗カバーの前面壁に当たってそれ以上押し込むことができないため、シリンダー錠を完全に破壊できない。これにより、簡易，かつ安価な防盗カバーを追加装備するだけで従来の後付けハンドルカバーロック並の防盗機能を発揮できる。
【００１２】
しかも、日常管理で自動販売機の外扉を開け閉めする場合には、防盗カバーの前面に開口したキー差込み穴に専用キーを差し込んでハンドルロックのシリンダー錠を解錠した上で、カバーの一方側面に開口したレバー操作穴よりポップアップ状態にあるハンドルレバーを横から押すと、該レバーが釈放方向に向けて反対側の側面に開口したレバー逃がし穴から突き出す。これにより、ハンドルレバーに手を掛けて釈放位置に回すことで外扉を開放できる。つまり、扉ロック装置の解錠，施錠には二重のキー操作を要さず、通常のキー操作だけでハンドルロックの解錠，施錠およびハンドルの釈放を行うことができる。
【発明を実施するための最良の形態】
【００１３】
以下、本発明の実施の形態を図１〜図３に示す実施例に基づいて説明する。なお、実施例の図中で図５，図６に対応する部材には同じ符号を付してその説明は省略する。
【００１４】
すなわち、図示実施例においては、図１で示すように自動販売機の外扉２に標準装備したハンドルロック６に対して、該ハンドルロック６を包囲するように防盗カバー９が外扉２の前面に追加装備されている。この防盗カバー９は比較的肉厚の厚い鋼板を板金加工し、さらに焼き入れ法などにより表面硬化処理を施したボックス形構造になり、図１（ｃ）〜（ｅ）で示すようにカバー前面にはハンドルロック６のシリンダー錠６ｃに対応するキー７の差込み穴９ａが、またカバーの右側面にはハンドルロック６のハンドルレバー６ｂに対応するレバー逃がし穴９ｂが、左側面にはハンドルレバー６ｂを前記レバー逃がし穴９ｂに向けて押し出すレバー操作穴９ｃが開口しており、さらに左右両サイドに形成したフランジ部９ｄの裏面には外扉２に固定するボルト９ｅが溶接接合されており、該ボルト９ｅを外扉２に穿孔したボルト穴に差し込んで外扉の裏面側からナットを螺合して締結固定するようにしている。
【００１５】
なお、前記のキー差込み穴９ａはハンドルロック６のキー７を挿入操作するに要する必要最小径の穴とし、また防盗カバー９の奥行き寸法（外扉前面から突き出し高さ）はカバーの前面壁とハンドルロック６との間に遊び間隔を確保した寸法に設定し、後述のように電動ドリルを使ってシリンダー錠６ｃを破錠する不正行為を妨害するようにしている。
【００１６】
次に、上記の構成でハンドルロック６を解錠，施錠する際の操作について説明する。外扉２が閉位置にロックされている状態でハンドルロック６を解錠するには、図１（ｂ）に示したキー７を前方から防盗カバー９のキー差込み穴９ａ挿入してシリンダー錠６ｃの鍵穴に差し込む（図２参照）。次いで、キー７を回してシリンダー錠６ｃを解錠すると、ハンドルレバー６ｂがポップアップ動作してハンドルベース６ａの凹部から前方に突き出す。この状態で防盗カバー９の左側面に開口したレバー操作穴９ｃに差し込んだ押し棒，あるいは指先などでハンドルレバー６ｂを押すと、レバーの先端がカバーの右側面に開口したレバー逃がし穴９ｂに突き出すようになる。
【００１７】
この状態でレバー逃がし穴９ｂから側方に突き出しているハンドルレバー６ｂに手を掛けて釈放方向（反時計方向）に回すと（図３参照）、ハンドルロック６の背後に結合したスイングカムを介してスライダーロックを引き上げて本体キャビネットに設けた掛け金との係合が外れて外扉２を自由に開くことができるようになる。つまり、防盗カバー９を装備しても、通常と同じキー操作で解錠，施錠が行える。
【００１８】
一方、この防盗カバー９は、ピッキング，あるいは図７で述べた電動ドリル８を使ってシリンダー錠を破錠する手口に対して次記のように防盗機能を発揮する。まず、ピッキングの手口に対しては、外扉２のハンドルロック６を防盗カバー９が覆っており、その前面には小さなキー差込み穴が開口しているだけでシリンダー錠６ｃとの間に間隔が確保されてので、防盗カバー９の外側からピッキングツールを使ってハンドルロック６のシリンダー錠６ｃ解錠することは極めて困難である。
【００１９】
また、電動ドリルを使ってシリンダー錠６ｃを破錠しようとする盗み手口に対しては、図８で表すように電動ドリル８のドリル刃８ａを防盗カバー９の前方からキー差込み穴９ａ挿入しても、ドリル刃８ａがシリンダー錠６ｃを破壊する以前にドリルチャック８ｂが防盗カバー９の前面壁に当たってそれ以上押し込むことができないため、シリンダー錠６ｃを完全に破壊することができない。しかも、防盗カバー９を表面硬化処理しておくことにより、電動ドリルを使って防盗カバーの穴を広げたり，電動鋸でカバー切断することも困難となり、自動販売機の後付けした従来のハンドルカバーロック並の防盗機能を確保できる。
【００２０】
なお、前記の防盗カバー９は図４における外扉２に溶接接合して取り付けてもよく、また鋳物などにて一体成形したものでもよい。
【図面の簡単な説明】
【００２１】
【図１】本発明の実施例による扉ロック装置の構成図で、（ａ），（ｂ）は外扉のハンドルロックに防盗カバーを組み付けた状態の正面図および側面図、（ｃ），（ｄ），（ｅ）はそれぞれ防盗カバー構造を表す左側面図，正面図，右側面図
【図２】図１に示した防盗カバーのキー差込み穴を通して前方からハンドルロックのシリンダー錠にキーを差し込んだ状態を表す図で、（ａ），（ｂ）はそれぞれ正面図および側面図
【図３】図２の状態からシリンダー錠を解錠した上でハンドルレバーを釈放位置に回した状態を表す図で、（ａ），（ｂ）はそれぞれ正面図および側面図
【図４】本発明の実施対象となる自動販売機の従来構成の正面図
【図５】図５におけるハンドルロックの構成図で、（ａ），（ｂ）はそれぞれ施錠，解錠状態を表す正面図
【図６】図５に示したハンドルロックの解錠操作の説明図で、（ａ）は解錠前の状態を表すハンドルロックの側面図、（ｂ），（ｃ）はそれぞれハンドルロックのシリンダー錠にキーを差し込んだ状態，およびシリンダー錠を解錠した状態を表す図
【図７】図５の自動販売機に対し、電動ドリルを使用する手口でハンドルロックのシリンダー錠を破錠する不正行為の説明図
【図８】防盗カバーを装備した本発明実施例の自動販売機に対し、電動ドリルを使用する手口でハンドルロックのシリンダー錠を破錠しようとした場合の防盗機能の説明図
【符号の説明】
【００２２】
２    自動販売機の外扉
６    ハンドルロック
６ｂ  ハンドルレバー
６ｃ  シリンダー錠
７    キー
９    防盗カバー
９ａ  キー差込み穴
９ｂ  レバー逃がし穴
９ｃ  レバー操作穴
【図１】
2006125017.tif 000003
【図２】
2006125017.tif 000004
【図３】
2006125017.tif 000005
【図４】
2006125017.tif 000006
【図５】
2006125017.tif 000007
【図６】
2006125017.tif 000008
【図７】
2006125017.tif 000009
【図８】
2006125017.tif 000010